(57)【要約】【課題】ユーザの脊椎を中心として回転するように、身体の上半身と下半身を相互に反対方向へ捩じることにより、腹部の全ての筋肉を鍛錬することができる。【解決手段】ユーザの脊椎を中心として回転するように、身体の上半身と下半身を相互に反対方向へ捩じることが可能であり、回転盤機構と、回転ハンドル機構と、連動部材とを含む腹筋肉鍛錬器において、回転盤機構は、ユーザがその上で立つことが可能であり、ユーザの足から力を加えることにより回転自在となっており、回転ハンドル機構は、ユーザが手で握ることが可能であり、ユーザの手から力を加えることにより回転自在となっており、連動部材は、回転盤機構と回転ハンドル機構とを同期して反対方向に回転させるように連動するようになっている。【選択図】図１
2010193926.tif 000002
【特許請求の範囲】
【請求項１】
ユーザの脊椎を中心として回転するように、身体の上半身と下半身を相互に反対方向へ捩じることが可能になっており、回転盤機構と、回転ハンドル機構と、連動部材とを含む腹筋肉鍛錬器において、
前記回転盤機構は、前記ユーザが乗って立つことが可能になっており、前記ユーザの足から力を加えることにより回転自在になっており、
前記回転ハンドル機構は、前記ユーザが手で握ることが可能になっており、前記ユーザの手から力を加えることにより回転自在になっており、
前記連動部材は、前記回転盤機構と前記回転ハンドル機構とを同期して反対方向に回転させるように連動するようになっていることを特徴とする腹筋肉鍛錬器。
【請求項２】
回転盤機構と、連動部材と、回転ハンドル機構とを含む腹筋肉鍛錬器において、
前記回転盤機構は、ベースと、中央部近傍に設けられた支持ロッドとを含み、回転盤が前記支持ロッドの上端に枢着され、ユーザが前記回転盤に立つことが可能になっており、
前記連動部材は、前記回転盤に駆動され、横方向に設けられている主傘歯車と、前記主傘歯車と噛合っており立設されている転向傘歯車と、前記転向傘歯車と連結されている立設傘歯車とから構成され、前記立設傘歯車が立設伝動軸を同期して反対方向に回転させるようになっており、
前記回転ハンドル機構は、前記ユーザが手で前記回転ハンドル機構の上端に設けられたハンドルを握ることが可能になっており、前記回転ハンドル機構の下端には前記立設伝動軸が連結され、前記立設伝動軸を前記立設傘歯車により前記回転盤機構と同期して反対方向に回転させることが可能になっており、
前記ユーザの脊椎を中心として回転するように、身体の上半身と下半身を相互に反対方向へ捩じることが可能になっており、
前記ユーザが胸腔から骨盤にかけての腹部の全ての筋肉を鍛錬することが可能になっていることを特徴とする腹筋肉鍛錬器。
【発明の詳細な説明】
【技術分野】
【０００１】
本発明は、腹部の全ての筋肉を鍛錬する健康器に関するものであり、とりわけ、ユーザの脊椎を中心として回転するように、身体の上半身と下半身を相互に反対方向へ捩じることにより、腹部の全ての筋肉を鍛錬することができる腹筋肉鍛錬器に関するものである。
【背景技術】
【０００２】
従来、市販している健康器は、身体の特定部位の鍛錬を目標として開発されたものであり、例えばジョギング健康器、自転車式健康器、及びエリプティカルクロストレーナなどは、主にユーザの下半身を鍛錬するためのものであり、逆に、ウェイトリフティング健康器、舟漕ぎ式健康器、及び引張式健康器などは、実質的にユーザの上半身を鍛錬するためのものである。しかし、胸腔から骨盤にかけての腹部の全ての筋肉の鍛錬を目標として開発されたものは殆どない。
現在、腰捩り式健康器および上体起し式健康器が市販されているが、これらは主に腹筋を捩じったり、曲げたりすることを目標としており、腹部の全ての筋肉を鍛錬するのに使用できるように思える。しかし、腰捩り式健康器によれば、ユーザの上半身を固定したままユーザの下半身を捩じるため、骨盤および骨盤以下の部位の筋肉の鍛錬にしか実質的な効果がない。そして上体起し式健康器によれば、腹筋肉を集中的に鍛錬するのは可能ではあるが、これらの従来の健康器によれば、一つの健康器によって胸腔から骨盤にかけての腹部の全ての筋肉を鍛錬することができない問題があった。
【発明の概要】
【発明が解決しようとする課題】
【０００３】
本発明の主な目的は、ユーザの脊椎を中心として回転するように、身体の上半身と下半身を相互に反対方向へ捩じることにより、腹部の全ての筋肉を鍛錬することができる腹筋肉鍛錬器を提供することにある。
【課題を解決するための手段】
【０００４】
本発明の請求項１に記載の腹筋肉鍛錬器によると、ユーザの脊椎を中心として回転するように、身体の上半身と下半身を相互に反対方向へ捩じることが可能になっており、回転盤機構と、回転ハンドル機構と、連動部材とを含む腹筋肉鍛錬器において、
回転盤機構は、ユーザが乗って立つことが可能になっており、ユーザの足から力を加えることにより回転自在になっており、
回転ハンドル機構は、ユーザが手で握ることが可能になっており、ユーザの手から力を加えることにより回転自在になっており、
連動部材は、回転盤機構と回転ハンドル機構とを同期して反対方向に回転させるように連動するようになっていることを特徴とする腹筋肉鍛錬器である。
本発明の請求項２に記載の腹筋肉鍛錬器によると、回転盤機構と、連動部材と、回転ハンドル機構とを含む腹筋肉鍛錬器において、
回転盤機構は、ベースと、中央部近傍に設けられた支持ロッドとを含み、回転盤が支持ロッドの上端に枢着され、ユーザが回転盤に立つことが可能になっており、
連動部材は、回転盤に駆動され横方向に設けられている主傘歯車と、主傘歯車と噛合っており立設されている転向傘歯車と、転向傘歯車と連結されている立設傘歯車とから構成され、立設傘歯車が立設伝動軸を同期して反対方向に回転させるようになっており、
回転ハンドル機構は、ユーザが手で回転ハンドル機構の上端に設けられたハンドルを握ることが可能になっており、回転ハンドル機構の下端には立設伝動軸が連結され、立設伝動軸を立設傘歯車により回転盤機構と同期して反対方向に回転させることが可能になっており、
ユーザの脊椎を中心として回転するように、身体の上半身と下半身を相互に反対方向へ捩じることが可能になっており、
ユーザが胸腔から骨盤にかけての腹部の全ての筋肉を鍛錬することが可能になっていることを特徴とする腹筋肉鍛錬器である。
【発明の効果】
【０００５】
本発明の腹筋肉鍛錬器によれば、ユーザの脊椎を中心として回転するように、身体の上半身と下半身を相互に反対方向へ捩じることにより、腹部の全ての筋肉を鍛錬することができるという効果を有する。
【図面の簡単な説明】
【０００６】
【図１】本発明の実施例に係る腹筋肉鍛錬器の斜視図である。
【図２】本発明の実施例に係る腹筋肉鍛錬器の平面図である。
【図３】本発明の実施例に係る腹筋肉鍛錬器の作動状態を示す模式図である。
【図４】本発明の実施例に係る腹筋肉鍛錬器の別の作動状態を示す模式図である。
【実施例】
【０００７】
以下、本発明の実施形態を図面に基づいて説明する。
図１乃至図４において、本発明実施例に係る腹筋肉鍛錬器は、腰捩り式健康器１０に適用され、回転盤機構２０と、連動部材３０と、回転ハンドル機構４０とを含む。
回転盤機構２０は、ベース２１と、中央部近傍に設けられた支持ロッド２２を含み、回転盤２３が支持ロッド２２の上端に枢着されており、ユーザがその上で立つことが可能である。
連動部材３０は、回転盤２３に駆動される。連動部材３０は、横方向に設けられている主傘歯車３１と、主傘歯車３１と噛合っており立設されている転向傘歯車３２と、転向傘歯車３２と連結されている立設傘歯車３３とから構成され、立設傘歯車３３が立設伝動軸４２を同期して反対方向に回転させることができる。
回転ハンドル機構４０は、ユーザが手で回転ハンドル機構４０の上端に設けられたハンドル４１を握ることが可能となっている。回転ハンドル機構４０の下端には立設伝動軸４２が連結されており、立設伝動軸４２は、立設傘歯車３３により回転盤機構２０と同期して反対方向に回転させることが可能である。
このように、回転盤２３が一方向に回転させられているときには、ハンドル４１が同期して逆方向に回転させられるようになり、ユーザの上半身と下半身とを同期して反対方向へ捩じることができる。同様に、ハンドル４１が一方向に回転させられているときには、回転盤２３が同期して逆方向に回転させられるようになる。
上記の通り、本発明の一実施例を示したが、他にも修正や変更を加え、請求項に記載の範囲内で別の実施形態も可能である。
【符号の説明】
【０００８】
１０  腰捩り式健康器
２０  回転盤機構
２１  ベース
２２  支持ロッド
２３  回転盤
３０  連動部材
３１  主傘歯車
３２  転向傘歯車
３３  立設傘歯車
４０  回転ハンドル機構
４１  ハンドル
４２  立設伝動軸
【図１】
2010193926.tif 000003
【図２】
2010193926.tif 000004
【図３】
2010193926.tif 000005
【図４】
2010193926.tif 000006